(57)【特許請求の範囲】
【請求項１】
浴槽側の排水が流れる浴槽排水トラップと、洗い場側の排水が流れる洗い場排水トラップとを備え、上記浴槽排水トラップと上記洗い場排水トラップとを横方向に並設すると共に、上記浴槽排水トラップに接続される主排水管路を横方向に直線的に延設し、該主排水管路の一側面部に上記洗い場排水トラップから排出される排水が流入する流入部を設け、上記主排水管路における上記流入部よりも上流側に、上り傾斜した勾配管路部を設け、上記浴槽排水トラップのトラップ出口管を上記勾配管路部の低い方の端部に接続し、上記勾配管路部の高い方の端部を上記主排水管路における上記流入部よりも上流側に接続したことを特徴とする浴室の排水構造。
【請求項２】
上記洗い場排水トラップに接続した副排水管路を上記主排水管路に沿って略平行に並設すると共に、副排水管路の先端の流出部を主排水管路の流入部から主排水管路の下流側に向けて開口させたことを特徴とする請求項１記載の浴室の排水構造。
【請求項３】
上記主排水管路の一側面部に上記洗い場排水トラップを一体に取り付けることで、上記浴槽排水トラップと上記洗い場排水トラップと上記主排水管路とを一体化したことを特徴とする請求項１又は２記載の浴室の排水構造。
【発明の詳細な説明】
【技術分野】
【０００１】
本発明は、浴室の排水構造に関し、詳しくは浴槽からの排水と洗い場床パンからの排水を合流させて排出するための技術に関するものである。
【背景技術】
【０００２】
従来から浴室ユニットなどの浴室における排水としては、浴槽側の排水、浴槽を設置している浴槽用床パンからの排水、洗い場側の排水という３箇所からの排水があり、いずれの排水にあたっても、排水トラップにより封水して臭気の逆流、虫などの侵入を防止する必要がある。
【０００３】
従来は浴槽側の排水が流れる浴槽排水トラップに、浴槽用床パンからの排水を流すように構成し、洗い場側の排水を流す洗い場排水トラップに外部に排水するための排水管を接続していた。そして、浴槽側の排水、浴槽用床パンからの排水のいずれも浴槽排水トラップから洗い場排水トラップを介して排水管に排水し、また洗い場側の排水は洗い場排水トラップから排水管に排水するようにしていた。このため、上記従来例にあっては、最も排水量の多い浴槽側からの排水が洗い場排水トラップから洗い場床パン側に逆流したり、浴槽用床パン側に逆流したりするおそれがあった。
【０００４】
また他の従来例として、図１０に示すように、浴槽側の排水が流れる浴槽排水トラップ２に浴槽用床パンからの排水を流す浴槽床パン排水トラップ４を一体に設け、該浴槽排水トラップ２に接続した副排水管路６０を、洗い場側の排水を流す洗い場排水トラップ６に接続した主排水管路７の側面に接続し、副排水管路６０を主排水管路７に交差接続し、浴槽排水トラップ２に隔壁１８を設けて浴槽排水トラップ２側に排水が逆流しないようにしたものが特許文献１により知られている。
【０００５】
しかしながら上記特許文献１にみられる従来例にあっては、排水量が最も多い浴槽側の排水は、浴槽排水トラップ２から副排水管路６０を経て主排水管路７に流入する際、矢印イで示すように、主排水管路７に対して交差して流入するため、副排水管路６０から主排水管路７に流入した多量の排水が主排水管路７の内面に激しく衝突して流れを乱すため、スムーズな流れが阻害されるという問題があり、また主排水管路７の内面に激しく衝突した浴槽側の排水の一部が主排水管路７の上流側に流れて洗い場排水トラップ６側に逆流する恐れがあり、さらに、浴槽側の排水が浴槽排水トラップ２内に停滞しやすくなり、浴槽排水トラップ２に隔壁１８を設けてあるといえども副排水管路６０を流れる多量の浴槽側の排水の一部が隔壁１８の先端部分から浴槽床パン排水トラップ４に逆流するという問題がある。さらに浴槽側の排水と洗い場側の排水とが同時に行なわれる場合は、主排水管路７への副排水管路６０の交差連通部６２において主排水管路７からの排水と副排水管路６０からの排水とが合流し、両者が激しく衝突して攪乱するため、浴槽側の排水、洗い場側の排水がいずれもスムーズに流れず、特に浴槽側の排水が多いので、洗い場側の排水は停滞しやすく、洗い場床パン５に水が一時的に滞留してしまうという問題もある。
【０００６】
そこで、浴槽側の排水が流れる浴槽排水トラップ２と、浴槽を設置する浴槽用床パン３からの排水が流れる浴槽床パン排水トラップ４と、洗い場側の排水が流れる洗い場排水トラップ６との３つの異なる排水トラップを独立して設け、各排水トラップに個別に排水枝管を接続し、排水枝管を浴室外に導出して屋外排水管に個別に接続することが行なわれているが、この場合、３本の長い排水枝管が必要で、しかも、３本の排水枝管を配置するための広いスペースが必要となり、また３本の排水枝管のいずれも浴槽用床パン３、洗い場床パン５をそれぞれスラブ等に設置するための脚を迂回するなどの配管作業が必要となり、施工も面倒となる。
【特許文献１】特開２００５−２８２１２３号公報
【発明の開示】
【発明が解決しようとする課題】
【０００７】
本発明は上記の従来の問題点に鑑みて発明したものであって、排水ユニット全体の小型化、薄型化を図ることができると共に、浴槽からの多量の排水が主排水管路内に排出されても主排水管路内の圧力損失を減らしてスムーズな排水を可能にすると共に、浴槽の排水が洗い場排水トラップから洗い場床パン側に逆流するのを防止でき、浴槽側の排水及び洗い場側の排水をそれぞれスムーズに排出できるようにした浴室の排水構造を提供することを課題とするものである。
【課題を解決するための手段】
【０００８】
前記課題を解決するために本発明に係る浴室の排水構造は、浴槽側の排水が流れる浴槽排水トラップ２と、洗い場側の排水が流れる洗い場排水トラップ６とを備え、上記浴槽排水トラップ２と上記洗い場排水トラップ６とを横方向Ａに並設すると共に、上記浴槽排水トラップ２に接続される主排水管路７を横方向Ａに直線的に延設し、該主排水管路７の一側面部７ａに上記洗い場排水トラップ６から排出される排水が流入する流入部８を設け、上記主排水管路７における上記流入部８よりも上流側に、上り傾斜した勾配管路部１６を設け、上記浴槽排水トラップ２のトラップ出口管２ａを上記勾配管路部１６の低い方の端部に接続し、上記勾配管路部１６の高い方の端部を上記主排水管路７における上記流入部８よりも上流側に接続したことを特徴としている。
【０００９】
このような構成とすることで、浴槽排水時には、浴槽１からの多量の排水が主排水管路７内に排出される際に主排水管路７は直線的に延設されているので主排水管路７内の圧力損失を減らしてスムーズに排水でき、浴槽１の排水が洗い場排水トラップ６から洗い場床パン５側に逆流するのを防止できるようになる。また洗い場排水時には洗い場側の排水が主排水管路７の一側面部７ａから流入するが、このとき洗い場側の排水は浴槽側の排水と比較して排水量が少ないため、洗い場側の排水によって主排水管路７内の排水の流れが大きく乱されるようなことがなく、主排水管路７内のスムーズな流れを保ちながら、洗い場側の排水が停滞したり、洗い場床パン５に水が一時的に滞留してしまうといった問題をなくすことができる。
さらに、浴槽排水トラップ２からの排水が上り傾斜した勾配管路部１６を上昇しながら主排水管路７へ排出される際に排水の流速が減じられるので、主排水管路７内で浴槽側の排水と洗い場側の排水とが合流するときに大きな衝突が発生しなくなり、排水をよりスムーズに行なうことができる。
【００１０】
また、上記洗い場排水トラップ６に接続した副排水管路６０を上記主排水管路７に沿って略平行に並設すると共に、副排水管路６０の先端の流出部６０ａを主排水管路７の流入部８から主排水管路７の下流側に向けて開口させたことを特徴とするのが好ましく、この場合、主排水管路７内の排水方向と副排水管路６０からの排水方向とが略平行となるので、副排水管路６０から主排水管路７内に洗い場側の排水が流入する際に主排水管路７内における排水の流れが乱されることを一層防止でき、主排水管路７内の圧力損失の減少効果をさらに高めることができる。
【００１２】
また、上記主排水管路７の一側面部７ａに洗い場排水トラップ６を一体に取り付けることで、浴槽排水トラップ２と洗い場排水トラップ６と主排水管路７とを一体化するのが好ましく、この場合、各排水トラップの設置スペースを小さくできると共に、配管作業が容易となり、施工性が向上する。
【発明の効果】
【００１３】
本発明は、浴槽排水トラップと洗い場排水トラップとを横方向に並設すると共に、浴槽排水トラップからの主排水管路を横方向に直線的に延設することにより、排水ユニット全体の小型化、薄型化を図ることができ、従って、排水トラップの設置スペースが小さくて済むようになる。また浴槽排水トラップの主排水管路を横方向に直線的に延設したことにより、浴槽からの多量の排水が主排水管路内に排出されても主排水管路内の圧力損失を減らしてスムーズな排水を可能にすると共に、浴槽の排水が洗い場排水トラップから洗い場床パン側に逆流するのを防止できるようになり、さらに、浴槽排水トラップからの排水が上り傾斜した勾配管路部を上昇しながら主排水管路へ排出される際に排水の流速が減じられるので、主排水管路内で浴槽側の排水と洗い場側の排水とが合流するときに大きな衝突が発生しなくなり、排水をよりスムーズに行なうことができるようになり、結果、浴槽側の排水及び洗い場側の排水をそれぞれスムーズに排出できる浴室の排水構造が得られる。
【発明を実施するための最良の形態】
【００１４】
以下、本発明を添付図面に示す実施形態に基いて説明する。
【００１５】
図１〜図７は本発明の実施形態の一例を示す。浴室を構成する浴室ユニットは、浴槽１を設置する浴槽用床パン３と、洗い場床パン５とで構成される床パンの周囲に、壁パネル及びドアを有する出入り口枠とを設置し、壁パネル及び出入り口枠で囲まれた部分の上端部に天井パネルを配設して構成してある。
【００１６】
浴室ユニットからの排水は、浴槽１からの湯水の排水、浴槽１を設置する浴槽用床パン３からの湯水の排水、洗い場床パン５からの湯水の排水の３種類の排水があり、本実施形態では、３種類の排水がそれぞれ流れる３種類の排水トラップ、つまり、浴槽１からの排水が流れる浴槽排水トラップ２と、浴槽１を設置する浴槽用床パン３からの排水が流れる浴槽床パン排水トラップ４と、洗い場床パン５からの排水が流れる洗い場排水トラップ６とを備えている。
【００１７】
図１に示すように、浴槽排水トラップ２は、上方が開口した容器状をしたトラップ本体部１０と、トラップ本体部１０を排水口１１に取り付ける取付けリング１２と、トラップ本体部１０内に収納される封水用内筒１３とを備えている。トラップ本体部１０は、浴槽用床パン３の排水口１１の下方に配置され、排水口１１の上方から取付けリング１２を回転させて取付けリング１２の外周面に設けた外ネジ１４ａをトラップ本体部１０の上端内周面に設けた内ネジ１４ｂにねじ込むことにより、図３に示す取付けリング１２のフランジ部１２ａとトラップ本体部１０のフランジ部１０ｂとで排水口１１の縁部１１ａが挟持され、これによりトラップ本体部１０が排水口１１に固定された状態となる。
【００１８】
上記トラップ本体部１０の内部には、図３に示すように、封止水が貯留される封水用内筒１３が収納されている。トラップ本体部１０の底面１０ａの複数箇所から上方に突出する同じ高さの凸部１５が突設されており、封水用内筒１３の下端１３ａが各凸部１５に載置されている。各凸部１５間のスペースは浴槽排水トラップ２の勾配管路部１６に連通する連通部１７となっている。さらに上記のように取付けリング１２をトラップ本体部１０にネジ固定する際に、取付けリング１２の内周面１２ｂが封水用内筒１３の上端外周面１３ｂ（図７（ａ））に圧接することで、封水用内筒１３の下端１３ａが凸部１５に押し付けられて固定された状態となる。このとき凸部１５は封水用内筒１３内の封水高さを決める基準となるもので、これによって封水用内筒１３内の封水高さを容易に確保できるものである。
【００１９】
また上記封水用内筒１３の内部は隔壁１８によって左右２つの排水路１９ａ，１９ｂに区分けされており、排水路１９ａが浴槽床パン排水トラップ４として機能し、排水路１９ｂが浴槽排水トラップ２として機能する。
【００２０】
さらに上記封水用内筒１３の上面には図７に示すように、排水路１９ａに連通する排水流入口２５と、排水路１９ｂに連通する排水流入口２６とが形成されている。排水流入口２５は浴槽１の排水弁５０で開閉される排水部の下方に連通しており、浴槽１の排水が排水流入口２５から排水路１９ｂ内に流れ込むようになっている。一方、排水流入口２６は浴槽用床パン３の上面側に連通しており、浴槽用床パン３上の排水が排水流入口２６からを通って排水路１９ａ内に流れ込むようになっている。排水路１９ａの途中に目皿（ヘアキャッチャー）２１が設けられている。各排水路１９ａ，１９ｂの下端１３ａ側の連通部１７に連通しており、この連通部１７は浴槽排水トラップ２のトラップ出口管２ａから上り傾斜した勾配管路部１６を介して主排水管路７に連通している。
【００２１】
なお勾配管路部１６は、主排水管路７における洗い場側の排水の流入部８（図４（ａ））よりも上流側に配置されており、勾配管路部１６の低い方の端部がトラップ出口管２ａに接続され、勾配管路部１６の高い方の端部が主排水管路７の上流端部に接続されている。トラップ出口管２ａは図４（ａ）に示すように洗い場排水トラップ２の接線方向に突出しており、このトラップ出口管２ａの下流端と勾配管路部１６の上流端とが互いに嵌合する嵌合接続部９ａ，９ｂを介して配管接続されている。
【００２２】
一方、洗い場排水トラップ６の構造は上記浴槽排水トラップ２と基本的に同じであり、対応する部分には同一符号を付しておく。異なる点を述べると、図４に示すように、洗い場排水トラップ６の封水用内筒１３の上方は目皿（図示せず）を介して洗い場床パン５の上面側に連通しており、洗い場床パン５上の排水が洗い場排水トラップ６内の封水用内筒１３内に流れ込むようになっている。また洗い場排水トラップ６の一側面には洗い場側の排水を排出するための側面開口部２２が設けられ、この側面開口部２２が浴槽排水トラップ２からの主排水管路７の一側面部７ａに設けた流入部８に連通している。
【００２３】
しかして、浴槽１及び浴槽用床パン３からの排水は浴槽排水トラップ２内及び浴槽床パン排水トラップ４内に一旦滞留し、その後、連通部１７から勾配管路部１６へ排出され、さらに直線的に延設された主排水管路７へと排出される。一方、洗い場床パン５からの排水は洗い場排水トラップ６に一旦滞留し、さらに洗い場排水トラップ６の側面開口部２２から主排水管路７内に排出される。
【００２４】
ここで本発明においては、浴槽排水トラップ２と洗い場排水トラップ６とを横方向Ａに並設すると共に、浴槽排水トラップ２から排出される排水が流れる主排水管路７を横方向Ａに直線的に延設したので、排水ユニット全体の小型化、薄型化を図ることができ、設置スペースが小さくて済むようになる。
【００２５】
また、浴槽排水トラップ２の主排水管路７を横方向Ａに直線的に延設すると共に、洗い場排水トラップ６からの排水を主排水管路７の一側面部７ａに設けた流入部８から合流させるようにしたので、浴槽排水時に多量の浴槽側の排水の流れを妨げるような抵抗力が発生しなくなる。つまり主排水管路７は直線的に延びているため管内の圧力損失を減らすことができる。これにより、最も排水量の多い浴槽１の排水をスムーズに行なうことができると同時に、浴槽１の排水が洗い場排水トラップ６から洗い場床パン５側に逆流したり、浴槽用床パン３側に逆流したりするのを防止できる。そのうえ、洗い場排水トラップ６を封水していた水が一緒に主排水管路７に引き込まれるといった現象をなくすことができ、浴室使用者に不快感を抱かせるような空気流入音が発生することもなくなる。
【００２６】
また浴槽排水と洗い場排水とが同時に行なわれる場合は、洗い場側の排水が主排水管路７の一側面部７ａから流入するが、このとき洗い場側の排水は浴槽側の排水と比較して排水量が少ないため、洗い場側の排水によって主排水管路７内の排水の流れが大きく乱されるようなことがなく、主排水管路７内のスムーズな流れを保ちながら、洗い場側の排水が停滞したり、洗い場床パン５に水が一時的に滞留してしまうといった問題も解消できる。そのうえ本例では浴槽排水トラップ２からの排水が一段低い勾配管路部１６を上昇しながら主排水管路７へ排出されるので、排水の流速が勾配管路部１６で減じられて、洗い場側の排水との間での衝突を防いで合流がスムーズに行なわれるようになる。この結果、浴槽側の排水及び洗い場側の排水をそれぞれスムーズに排出できる構造となる。
【００２７】
また本例では、浴槽排水トラップ２の主排水管路７の一側面部７ａに洗い場排水トラップ６を一体に取り付けているので、浴槽排水トラップ２と洗い場排水トラップ６と主排水管路７とが一体化され、排水ユニットのコンパクト化が図られ、設置スペースを小さくできると共に、配管作業が容易となり、施工性が向上する。
【００２８】
さらに本例では、浴槽排水トラップ２及び洗い場排水トラップ６の取り付けにおいて、排水口１１の上方から嵌め込まれる取付けリング１２の外周面に設けた外ネジをトラップ本体部１０に設けた内ネジにねじ込むことによりトラップ本体部１０を排水口１１に容易に取り付けることができる。また、トラップ本体部１０内に収納される封水用内筒１３の下端１３ａを、トラップ本体部１０の底面から上方に突出する凸部１５に載置した状態で、取付けリング１２の内周面１２ｂを封水用内筒１３の上端外周面１３ｂに圧接させているので、トラップ本体部１０の底面に突設する凸部１５を基準として封水用内筒１３内の封水高さを決めることができ、封水用内筒１３内の封水高さを常に一定にできる。これにより、排水トラップの施工状態にかかわらず、封水高さが安定化すると共に、法律で決められた封水高さ（５０ｍｍ以上）の数値を確実にクリアできると共に、浴槽１からの大量排水があった場合でも、洗い場排水トラップ６の封水切れを確実に防止できるので、空気流入音の発生を抑えて浴室使用者に不快感を抱かせないようにできる。
【００２９】
なお図１の例では封水用内筒１３の下端側に主排水管路７に連通する連通部１７を形成するにあたって、トラップ本体部１０の底面から立上がる凸部１５間のスペースを連通部１７としているが、勿論これに限らず、例えば、封水用内筒１３の下端側の一部を穴状に切り欠して連通部１７としてもよいものである。
【００３０】
さらに図８に示すように、封水用内筒１３の上端外周面に、取付けリング１２の内周面１２ｂと封水用内筒１３の上端外周面１３ｂとの間をシールするためのシール部材３０を設けるのが望ましい。更に、シール部材３０を封水用内筒１３の上端外周面１３ｂに一体に取り付けるのが望ましい。この場合、取付けリング１２を嵌め込むだけで、シール部材３０によって取付けリング１２と封水用内筒１３との間を確実にシールでき、排水トラップ２，４，６の組み立て性が一層よくなる利点がある。
【００３１】
図９は本発明の他の実施形態を示している。本例では洗い場排水トラップ６に接続した副排水管路６０を浴槽排水トラップ２の主排水管路７内に挿入し且つ主排水管路７と略平行に並設すると共に、副排水管路６０の先端の流出部６０ａを主排水管路７の下流側に向けて開口させてある。また副排水管路６０の管径を主排水管路７の管径をよりも細くしてある。他の構成は図１〜６の実施形態と同様であり、対応する部分には同一符号を付して詳しい説明は省略する。本例では副排水管路６０の延びる方向を洗い場排水トラップ６の接線方向に向けているので、浴槽側の排水と洗い場側の排水とが衝突して流れを乱すのを一層防止できるようになり、主排水管路７内の圧力損失をなくすことができる。さらに副排水管路６０の流出部６０ａの向きと主排水管路７の軸方向とが同じ向きに揃うので、主排水管路７と副排水管路６０とを成形する際に金型が抜きやすくなる利点もある。
【００３２】
なお前記実施形態では浴槽用床パン３を設けた場合を例示したが、浴槽用床パン３は省略可能である。
【図面の簡単な説明】
【００３３】
【図１】本発明の実施形態の一例の側面断面図である。
【図２】同上の排水ユニットの側面図である。
【図３】同上の排水ユニットの側面断面図である。
【図４】（ａ）は同上の排水ユニットを分解した平面図、（ｂ）は組み立て状態の平面図である。
【図５】同上の排水ユニットの斜視図である。
【図６】同上の排水ユニットの一部破断した斜視図である。
【図７】（ａ）（ｂ）（ｃ）は同上の封水用内筒の平面図、斜視図、側面図である。
【図８】本発明の他の実施形態の側面図である。
【図９】本発明の更に他の実施形態の説明図である。
【図１０】従来例の平面図である。
【符号の説明】
【００３４】
１  浴槽
２  浴槽排水トラップ
６  洗い場排水トラップ
７  主排水管路
７ａ  一側面部
８  流入部
１６  勾配管路部
６０  副排水管路
Ａ  横方向
【図１】
0004605081.tif 000002
【図２】
0004605081.tif 000003
【図３】
0004605081.tif 000004
【図４】
0004605081.tif 000005
【図５】
0004605081.tif 000006
【図６】
0004605081.tif 000007
【図７】
0004605081.tif 000008
【図８】
0004605081.tif 000009
【図９】
0004605081.tif 000010
【図１０】
0004605081.tif 000011